(57)【要約】【課題】冊子状の紙葉類に印刷するプリンタ装置の、機構の簡素化、調整の容易化、装置の小型化を図る。【解決手段】インクジェットヘッド２のノズル面ａをメンテナンスする場合、キャリア１はモータ９により搬送路１３の位置からメンテナンス部１２の位置に移動する。この際、分割カードホルダ５に保持された突起ローラ４ｂがストッパ１４に当たり分割カードホルダ５が開き、ノズル面ａにメンテナンス部１２が接することでメンテナンスをおこなう。冊子状紙葉類１６に印字を行う場合は、スプリング６により分割カードホルダ５はカードホルダ３に密着し、ノズル面ａと冊子状紙葉類１６が接触することを防止する。また突起ローラ４ａと突起ローラ４ｂは冊子状紙葉類１６にインクジェットヘッド２により印字したインクがカードホルダ３および分割カードホルダ５に転写することを防止している。【選択図】      図１
2004306290.tif 000002
【特許請求の範囲】
【請求項１】
紙葉類に印字ヘッド面が接触することを防止するために前記紙葉類と前記印字ヘッド面との間にカードホルダを有するプリンタ装置であって、前記カードホルダを第１のカードホルダと第２のカードホルダとに分割し、印刷時には前記第１のカードホルダと前記第２のカードホルダとを密着させ、前記印字ヘッド面のメンテナンス時には前記第１のカードホルダと前記第２のカードホルダとを分離させることを特徴とするプリンタ装置。
【請求項２】
紙葉類に印字ヘッド面が接触することを防止するために前記紙葉類と前記印字ヘッド面との間にカードホルダを有するプリンタ装置であって、前記印字ヘッド面のメンテナンスを行うメンテナンス部を紙葉類の搬送路を外れた位置に備え、前記カードホルダを第１のカードホルダと第２のカードホルダとに分割し、印刷時には前記第１のカードホルダと前記第２のカードホルダとを密着させ、前記印字ヘッド面が前記メンテナンス部の位置にあるときは前記第１のカードホルダと前記第２のカードホルダとを分離させることを特徴とするプリンタ装置。
【請求項３】
前記第１のカードホルダと前記第２のカードホルダとの間に架けられて前記第２のカードホルダを前記第１のカードホルダ方向に引っ張るスプリングを備えたことを特徴とする請求項１または２記載のプリンタ装置。
【請求項４】
前記印字ヘッド面がメンテナンス位置へ移動するときに前記第２のカードホルダを前記第１のカードホルダから分離させるためのストッパを備えたことを特徴とする請求項１、２または３記載のプリンタ装置。
【請求項５】
前記第１のカードホルダに固定されて前記第２のカードホルダを保持するガイド部材を備えたことを特徴とする請求項１、２、３または４記載のプリンタ装置。
【請求項６】
前記第２のカードホルダは紙葉類への印字内容が前記第２のカードホルダへ転写することを防止するためのローラを有し、このローラが接する位置に前記ストッパを配置したことを特徴とする請求項１、２、３、４または５記載のプリンタ装置。
【請求項７】
前記印字ヘッドはインクジェット方式の印字ヘッドであることを特徴とする請求項１、２、３、４、５または６記載のプリンタ装置。
【発明の詳細な説明】
【０００１】
【発明の属する技術分野】
本発明はプリンタ装置に関し、特に、金融機関で使用される通帳のような冊子状の紙葉類に印刷するプリンタ装置に関する。
【０００２】
【従来の技術】
従来の冊子状の紙葉類に印字をするプリンタ装置を図６に示す。冊子状紙葉類とは、例えば金融機関の預金通帳である。預金通帳は綴じ部の前半側と後半側とで厚さが異なることがある。冊子状紙葉類１１６に印字する際にインクジェットヘッド１０２のノズル面ａを保護するためにカードホルダ１０３と、カードホルダ１０３へのインク付着を防ぐために両端に多数の微少な突起を有した突起ローラ１０４を配置している（例えば、特許文献１または特許文献２参照。）。
【０００３】
インクジェットヘッド１０２は定期的にメンテナンスが必要であるが、メンテナンスを行う際に図７に示すようにカードホルダ１０３を大きく逃がす必要がある（例えば、特許文献２参照。）。そのためインクジェットヘッド１０２を保持するキャリア１０１と、カードホルダ１０３を保持するサブキャリア１１７を独立して有していた。
【０００４】
【特許文献１】
特開２０００−３５１２４４号公報（第３頁、図１）
【特許文献２】
特開２０００−３２６５７５号公報（第３−５頁、図１）
【０００５】
【発明が解決しようとする課題】
上述した従来のプリンタ装置は、メンテナンス時と冊子状紙葉類印字時にキャリアとサブキャリアが分離、合体するため、機構が複雑になるという問題点があった。
【０００６】
また、インクジェットヘッドとキャリア、サブキャリアの位置調整や、分離、合体を行うための機構の位置調整が必要となるという問題点があった。
【０００７】
さらに、部品点数が増加してコストアップの原因となる、装置が大きくなるなどの問題点があった。
【０００８】
本発明の目的は、機構を簡素化し、調整の容易化を図り、装置の小型化を可能とするプリンタ装置を提供することにある。
【０００９】
【課題を解決するための手段】
本発明のプリンタ装置は、紙葉類に印字ヘッド面が接触することを防止するために前記紙葉類と前記印字ヘッド面との間にカードホルダを有するプリンタ装置であって、前記カードホルダを第１のカードホルダと第２のカードホルダとに分割し、印刷時には前記第１のカードホルダと前記第２のカードホルダとを密着させ、前記印字ヘッド面のメンテナンス時には前記第１のカードホルダと前記第２のカードホルダとを分離させることを特徴とする。
【００１０】
本発明のプリンタ装置は、紙葉類に印字ヘッド面が接触することを防止するために前記紙葉類と前記印字ヘッド面との間にカードホルダを有するプリンタ装置であって、前記印字ヘッド面のメンテナンスを行うメンテナンス部を紙葉類の搬送路を外れた位置に備え、前記カードホルダを第１のカードホルダと第２のカードホルダとに分割し、印刷時には前記第１のカードホルダと前記第２のカードホルダとを密着させ、前記印字ヘッド面が前記メンテナンス部の位置にあるときは前記第１のカードホルダと前記第２のカードホルダとを分離させることを特徴としてもよい。
【００１１】
本発明のプリンタ装置は、前記第１のカードホルダと前記第２のカードホルダとの間に架けられて前記第２のカードホルダを前記第１のカードホルダ方向に引っ張るスプリングを備えたことを特徴としてもよい。
【００１２】
本発明のプリンタ装置は、前記印字ヘッド面がメンテナンス位置へ移動するときに前記第２のカードホルダを前記第１のカードホルダから分離させるためのストッパを備えたことを特徴としてもよい。
【００１３】
本発明のプリンタ装置は、前記第１のカードホルダに固定されて前記第２のカードホルダを保持するガイド部材を備えたことを特徴としてもよい。
【００１４】
本発明のプリンタ装置は、前記第２のカードホルダは紙葉類への印字内容が前記第２のカードホルダへ転写することを防止するためのローラを有し、このローラが接する位置に前記ストッパを配置したことを特徴としてもよい。
【００１５】
本発明のプリンタ装置は、前記印字ヘッドはインクジェット方式の印字ヘッドであることを特徴としてもよい。
【００１６】
【発明の実施の形態】
本発明の実施の形態について図面を参照して詳細に説明する。本実施の形態ではインクジェットプリンタ装置の例を説明する。図１は本発明のインクジェットプリンタ装置の正面図である。インクジェットプリンタ装置は、キャリア１、インクジェットヘッド２、カードホルダ３、突起ローラ４ａ、突起ローラ４ｂ、分割カードホルダ５、スプリング６、ガイドピン７、スペーシングシャフト８、モータ９、プーリ１０、タイミングベルト１１、メンテナンス部１２、搬送路１３、ストッパ１４、フレーム１５を含み、冊子状紙葉類１６に印字を行う。
【００１７】
キャリア１は、フレーム１５に固定された２本のスペーシングシャフト８に保持され、タイミングベルト１１とタイミングベルト１１を保持する図示されない機構でフレーム１５に保持されたプーリ１０を介し、フレーム１５に固定されたモータ９により左右にスペーシングする。カードホルダ３は微少な突起を全面に有する突起ローラ４ａを軽く回転するように保持し、キャリア１に固定される。分割カードホルダ５は微少な突起を全面に有する突起ローラ４ｂを軽く回転するように保持し、カードホルダ３に固定されるガイドピン７により保持され、スプリング６によりカードホルダ３に密着するように引っ張られる。スプリング６は、図１に示すように、カードホルダ３と分割カードホルダ５との間に架けられている。インクジェットヘッド２はキャリア１に固定される。メンテナンス部１２はフレーム１５に固定され、図示されない機構により上下に動作する。メンテナンス部１２は搬送路１３から外れた位置にある。
【００１８】
搬送路１３は図示されない機構により冊子状紙葉類１６を搬送する。ストッパ１４は分割カードホルダ５に保持されている突起ローラ４ｂと接するように配置されている。
【００１９】
次に、本発明の実施の形態の動作について図１、図２、図３、図４、図５を参照して説明する。図１はインクジェットヘッド２の先端のノズル面ａをメンテナンスする場合の正面図、図２は冊子状紙葉類１６に印字する場合の正面図、図３はカードホルダ付近の正面図、図４は図３のＡ−Ａ断面図、図５は図３の矢印Ｂ方向から見た図である。
【００２０】
まず、メンテナンスについて説明する。メンテナンスの主要動作は次の３つである。
（１）ノズル面の清掃
メンテナンス部１２にあるワイパー（図示せず）をインクジェットヘッド２に接触させ、キャリア１を左右に動作させることでノズル面ａに付着したインク滴を取り除く。
（２）ノズル面ａから吐出したインクの吸引
インクの吐出を安定させるためにメンテナンス部１２でインクを吸引する。
（３）ノズル面の保護
インクジェットヘッド２未使用時にノズル面ａが汚れないようにキャップをする。
【００２１】
ノズル面ａをメンテナンスする場合、キャリア１はモータ９により搬送路１３の位置からメンテナンス部１２の位置に移動する。この際、分割カードホルダ５に保持された突起ローラ４ｂがストッパ１４に当たり分割カードホルダ５が開き、ノズル面ａにメンテナンス部１２が接することでメンテナンスをおこなう。
【００２２】
冊子状紙葉類１６に印字を行う場合は、スプリング６により分割カードホルダ５はカードホルダ３に密着し、ノズル面ａと冊子状紙葉類１６が接触することを防止する。また突起ローラ４ａと突起ローラ４ｂは冊子状紙葉類１６にインクジェットヘッド２により印字したインクがカードホルダ３および分割カードホルダ５に転写することを防止している。
【００２３】
図５に示すように、突起ローラ４ｂが突起ローラ４ａより長くなっている。ストッパ１４は、突起ローラ４ａには接することなく、突起ローラ４ｂに接するように配置されている。メンテナンス時に分割カードホルダ５がメンテナンスに必要な量だけ開いていればよいのであるから、ストッパ１４は、分割カードホルダ５の突起ローラ４ｂ以外の部分に接するようにしてもよい。
【００２４】
なお、上記実施の形態ではインクジェットプリンタ装置について説明したが、本発明はインクジェットプリンタ装置に限定されるものではなく、例えば、インクリボンを用いてドットインパクト方式で印刷するプリンタ装置にも適用することができる。
【００２５】
【発明の効果】
以上説明したように、本発明によれば、機構が簡素化されるという効果がある。これに伴い、組み立て工数や部品費が削減される。
【００２６】
また、調整箇所が減少するため性能の安定化が図れるという効果がある。
【００２７】
さらに、カードホルダを大きく逃がすスペースが不要になるため機構が小型化できるという効果がある。
【図面の簡単な説明】
【図１】インクジェットヘッドの先端のノズル面をメンテナンスする場合の正面図である。
【図２】冊子状紙葉類を印字する場合の正面図である。
【図３】カードホルダ付近の正面図である。
【図４】図３のＡ−Ａ断面図である。
【図５】図３の矢印Ｂ方向から見た図である。
【図６】従来のプリンタ装置の正面図である。
【図７】従来のプリンタ装置のメンテナンス時の正面図である。
【符号の説明】
１    キャリア
２    インクジェットヘッド
３    カードホルダ
４ａ    突起ローラ
４ｂ    突起ローラ
５    分割カードホルダ
６    スプリング
７    ガイドピン
８    スペーシングシャフト
９    モータ
１０    プーリ
１１    タイミングベルト
１２    メンテナンス部
１３    搬送路
１４    ストッパ
１５    フレーム
１６    冊子状紙葉類
【図１】
2004306290.tif 000003
【図２】
2004306290.tif 000004
【図３】
2004306290.tif 000005
【図４】
2004306290.tif 000006
【図５】
2004306290.tif 000007
【図６】
2004306290.tif 000008
【図７】
2004306290.tif 000009